(57)【要約】【課題】外形を大きくすることなく組み立てが容易であり、操作性が良く、修理対応も容易とする低コストのプッシュ式金具を提供することを目的とした。【解決手段】ネックレス、ブレスレット等の輪の大きさを自由に変えられるプッシュ式金具において、前記プッシュ式金具２０は、上部に開口部２を有し前記開口２部に直交する側面にチェーンを通す互いに対向する一対の挿入孔３を有して形成した中空の外部体１と、一方端を密閉、他端に開口部６を有し、該開口部６に直交する側面にチェーンを通す互いに対向する一対の貫通孔７を有して形成した筒状の摺動体５と、略矩形又は円形の環状を形成し、チェーン３３を通す貫通した開口部１１を有した環状体１０と、その摺動体５と前記環状体１０がチェーン３３を挟み込む方向に付勢するコイルスプリング９とからなることを特徴とした。【選択図】図１
2005204742.tif 000002
【特許請求の範囲】
【請求項１】
ネックレス、ブレスレット等の輪の大きさを自由に変えられるプッシュ式金具において、前記プッシュ式金具２０は、上部に開口部２と、前記開口部２に直交する側面にチェーン３３を通す互いに対向する一対の貫通した挿入孔３を有し、引輪（クラスプ）３０を接続する環４とを有して形成した中空の外部体１と、その外部体１内に上下移動可能に納められていると共に、一方端を密閉、他端に開口部６を有し、該開口部６に直交する側面にチェーンを通す互いに対向する一対の貫通孔７とを有して形成した筒状の摺動体５と、その摺動体５内に納められていると共に、略矩形又は円形の環状を形成し、チェーン３３を通す貫通した開口部１１を有した環状体１０と、前記摺動体５内に納められていると共に、その摺動体５と前記環状体１０がチェーン３３を挟み込む方向に付勢するコイルスプリング９とからなることを特徴としたプッシュ式金具。
【請求項２】
前記外部体１を取り換え可能とした請求項１記載のプッシュ式金具。
【発明の詳細な説明】
【技術分野】
【０００１】
本発明は、ネックレス、ブレスレット等の輪の大きさを自由に変えられるプッシュ式金具に関するものである。
【背景技術】
【０００２】
ネックレス等の輪の大きさを自由に変えられる機能を備えた止め具として、上蓋と、下蓋と、バネを用いて、上蓋へ、バネ、下蓋の順に納めて、上蓋と、下蓋を指で挟んでバネを圧縮して、下蓋を下方に移動させ、上蓋のチェーン通し穴より下蓋のチェーン通し穴にチェーンを挿入し、指を離すとバネにより下蓋が挟み込む方向に付勢し、上蓋のチェーン通し穴と下蓋のチェーン通し穴がチェーンを挟み込んでチェーンを固定する金具がある（例えば、特許文献１参照。）。
【０００３】
また、側面にチェーン類を挿通する一対の開口部を備えた中空ハウジングと、その内部に上記開口部から挿通されたチェーンに当接するよう摺動自在に内蔵され、中空ハウジングの全面に頭部が出没可能に保持される侠着体と、この侠着体をチェーンに当接する方向に付勢するバネとで構成し、チェーンの輪の大きさを自由に変えられるものもある（例えば、特許文献２参照。）。
【０００４】
また、中空の外郭体に対向する孔を設けて、その中に通孔部を有したゴム、シリコンゴム等で構成された弾性体を挿入して、外郭体、弾性体にチェーンを貫通させることにより、チェーンに弾性体の摩擦抵抗を生じさせ、任意の位置に係止させてチェーンの輪の大きさを自由に変えられる止め具がある（例えば、特許文献３参照。）。
【０００５】
しかし、特許文献１に示すものは、上蓋と下蓋の厚み部分で押さえる構造となっている。また、特許文献２に示すものは、チェーンを摺動させた場合に、中空ハウジングの側面に備えた一対の開口部が侠着体により対向していないため、チェーンが中空ハウジング内の開口部分で折れ曲がり、チェーンと開口部が接触して摺動するためにスムーズには動かないという欠点が有り、特許文献３に示す止め具を頻繁に摺動させて使用した場合、チェーンと弾性体であるゴム、シリコンゴム等が擦れにより、破損した場合に修理が困難という欠点が有った。
【特許文献１】登録実用新案３０８９９２６号公報
【特許文献２】特開２００１−２１９号公報
【特許文献３】特許第２９７１４５３号公報
【発明の開示】
【発明が解決しようとする課題】
【０００６】
解決しようとする問題点は、外形を大きくすることなく組み立てが容易であり、操作性が良く、修理対応も容易とする低コストのプッシュ式金具を提供することを目的とした。
【課題を解決するための手段】
【０００７】
本発明のプッシュ式金具は、上部に開口部２と前記開口部２に直交する側面にチェーン３３を通す互いに対向する一対の貫通した挿入孔３を有し、引輪（クラスプ）３０を接続する環４とを有して形成した中空の外部体１と、一方端を密閉、他端に開口部６を有し、該開口部６に直交する側面にチェーン３３を通す互いに対向する一対の貫通孔７を形成した金属の筒状の摺動体５と、略矩形又は円形の環状を形成し、チェーン３３を通す貫通した開口部１１を有した環状体１０と、前記摺動体５の貫通孔７と、前記環状体１０の開口部１１がチェーン３３を挟み込む方向に付勢するコイルスプリング９との構成からなり、摺動体５の内部にコイルスプリング９、環状体１０の順で配した摺動体５を外部体１の開口部２から挿入しプッシュ式金具本体２０を構成させ、該プッシュ式金具２０を親指と人差し指では挟むように保持し、摺動体５を人差し指で押圧することにより、外部体１の挿入孔３と、摺動体５の貫通孔７を環状体１０の開口部１１に合致させ、挿入孔３と、貫通孔７と、開口部１１にチェーン３３の一端を貫通させて押圧している摺動体５から人差し指を離し開放させることにより、摺動体５がコイルスプリング９で外側に押し出され、貫通孔７と開口部１１がずれて摺動体の貫通孔７と、環状体１０の開口部１１の内面部平面にてチェーン３３を挟み込むことにより、ネックレスチェーンの任意の位置にて係止できることを特徴としている。
【０００８】
また、本発明のプッシュ式金具２０の外部体１は交換できることを特徴とし、該外部体１の形状を変更したもの、表面に模様を入れたもの、チェーンと色が異なるものを用いることができる。
【発明の効果】
【０００９】
上記構成により、本発明のプッシュ式金具２０は、組み立てが容易であり、そして、摺動体５の貫通孔７と、環状体１０の開口部１１の内面部平面にてチェーン３３を挟み込むために、確実にチェーン３３を保持して係止できることから安定した操作性が得られ、もしも、修理が発生した場合には部品交換が容易であり、プレス化にて低コストの商品の提供が可能となった。
【発明を実施するための最良の形態】
【００１０】
組み立てが容易であり、操作性が良いという目的を、外形を大きくすることなく、美観を損なわず実現した。
【実施例１】
【００１１】
図１は、本発明のプッシュ式金具２０の使用状態を示す斜視図であり、図２はプッシュ式金具２０を構成する各部品の概念図である。また、図３は前記部品を組み込んだ状態で有り、図４は開口部にチェーンを挿入した状態を示す正面図で、図５は断面図、図６は、開口部がチェーンを挟み込んだ状態を示す正面図、図７はプッシュ式金具２０を用いたネックレスの全体図である。
【００１２】
以下本発明の実施例を図面に基づいて説明する。本発明に係わるプッシュ金具２０は、貴金属である金合金、白金合金からなり、それを成型加工したもので、図２の部品の概念図に示すように（ａ）外部体１と、（ｂ）衝動体５と、（ｃ）コイルスプリング９と、（ｄ）環状体１０の４個の部品から構成され、（ａ）の外部体１は、上部に開口部２と前記開口部２に直交する側面にチェーンを通す互いに対向する一対の挿入孔３と、引輪（クラスプ）を接続する環４で形成されている。
【００１３】
（ｂ）の衝動体５は、一方端を密閉、他端に開口部６を有し、該開口部６に直交する側面にチェーンを通す互いに対向する一対の貫通孔７を設けて形成した。
【００１４】
（ｃ）のコイルスプリングは、摺動体５の貫通孔７と環状体１０の開口部１１がチェーン３３を挟み込む方向に付勢させるものである
【００１５】
（ｄ）の環状体１０は、略矩形又は円形の環状を形成し、チェーン３３を通す貫通した開口部１１を設けたものである。
【００１６】
図３は、図２に示した（ａ）〜（ｄ）の部品を組み合わせてプッシュ式金具２０を構成したことを示し、摺動体５の内部にコイルスプリング９、環状体１０の順で配し、該摺動体５を外部体１の開口部２から挿入しプッシュ式金具２０を構成させた。
【００１７】
図４は、図３で構成したプッシュ式金具２０にチェーン３３を挿入した状態を示し、プッシュ式金具２０を親指と人差し指では挟むように保持し、摺動体５を人差し指で押圧することにより、外部体１の挿入孔３と、摺動体５の貫通孔７を、環状体１０の開口部１１に合致させ、挿入孔３と、貫通孔７と、開口部１１にチェーン３３の一端を貫通させた。
【００１８】
図６は、チェーン３３を挟み込んだ状態を示し、図４より、押圧している摺動体５から人差し指を離し開放させることにより、摺動体５がコイルスプリング９で外側に押し出され、貫通孔７と開口部１１がずれて摺動体の貫通孔７と、環状体１０の開口部１１の内面部平面にてチェーン３３を挟み込み込むことができる。
【００１９】
図７は、本発明のプッシュ式金具２０をネックレスに使用した一実施形態を示す全体図であり、前記述の貫通させたチェーン３３の一端に連結環１３を介してチェーン抜け防止飾りプレート３２を連結、もう一方の先端には引輪連結プレート３１が連結環１３を介して連結し、引輪（クラスプ）３０と引輪連結プレート３１を連結することでネックレスの輪が形成することができる。
【００２０】
前記ネックレスの輪の大きさを変えるには、図４を用いて説明したがプッシュ式金具２０を親指と人差し指では挟むように保持し、摺動体５を人差し指で押圧することにより、摺動させることができ、そして、任意の位置に固定する場合は、押圧している摺動体５から人差し指を離し開放させることにより係止できる。
【図面の簡単な説明】
【００２１】
【図１】本発明のプッシュ式金具の使用状態を示す斜視図である。
【図２】本発明のプッシュ式金具を構成する各部品を示す概念図である。
【図３】本発明のプッシュ式金具の組み込みを示す正面図である。
【図４】本発明のプッシュ式金具にチェーンを挿入した状態を示す正面図である。
【図５】図４Ａ−Ａの線断面図である。
【図６】プッシュ式金具がチェーンを挟み込んだ状態を示す正面図である。
【図７】本発明のプッシュ金具を用いたネックレスを示す全体図である。
【符号の説明】
【００２２】
１    外部体
２    開口部
３    挿入孔
４    環
５    衝動体
６    開口部
７    貫通孔
８    スリット部
９    コイルスプリング
１０    環状体
１１    開口部
１２    合わせ目
１３    連結環
１４
２０  プッシュ式金具
３０  引輪（クラスプ）
３１  引輪連結プレート
３２  チェーン抜け防止飾りプレート
３３  チェーン
【図１】
2005204742.tif 000003
【図２】
2005204742.tif 000004
【図３】
2005204742.tif 000005
【図４】
2005204742.tif 000006
【図５】
2005204742.tif 000007
【図６】
2005204742.tif 000008
【図７】
2005204742.tif 000009
【手続補正書】
【提出日】平成16年2月3日(2004.2.3)
【手続補正１】
【補正対象書類名】明細書
【補正対象項目名】００２２
【補正方法】変更
【補正の内容】
【００２２】
１    外部体
２    開口部
３    挿入孔
４    環
５    衝動体
６    開口部
７    貫通孔
９    コイルスプリング
１０    環状体
１１    開口部
１３    連結環
２０  プッシュ式金具
３０  引輪（クラスプ）
３１  引輪連結プレート
３２  チェーン抜け防止飾りプレート
３３  チェーン